(57)【特許請求の範囲】
【請求項１】
脚部を筒状に形成する脚部縦縫合線を、大転子の後方位置から大腿部の腸脛靭帯の後方縁に沿って、大臀筋を避けた位置に配置し、胴体下部に設けられる体幹部縫合線を、鼠径靭帯部に沿って配置し、鼠径靭帯部に沿って配置した体幹部縫合線と、前記脚部縦縫合線とが大転子の後方位置で一連に連続し、脚部縦縫合線を、中臀筋を通らない位置に配置したタイツ、スパッツ、パンツ等のスポーツ用ボトム。
【発明の詳細な説明】
【技術分野】
【０００１】
この発明は、ランニングタイツ、フィットネススパッツ等のスポーツ用ボトムに関するものである。
【背景技術】
【０００２】
ランニングタイツ、フィットネススパッツ等のスポーツ用ボトムの脚部には、筒状に形成するための脚部縦縫合線が必要である。【０００３】
従来の脚部縦縫合線は、大腿内側、後側、外側のいずれかに配置される。【０００４】
例えば、図８Ａに示すように、脚部縦縫合線１を大腿内側に配置すると、股下部をアーチ状に形成でき、股間のフィット感を上げることができる。股下にマチを設ける場合には、脚部縦縫合線１は、大腿内側のやや前側及びやや後側に配置される。以下、図８Ａ、図８Ｂに示す、脚部縦縫合線１を大腿内側に配置したものを従来例１とする。【０００５】
また、図９Ａに示すように、脚部縦縫合線１を大腿後側に配置すると、ヒップ部を膨らみを持たせた立体形状にすることができるので、ヒップを美しく見せることができる。以下、図９Ａ、図９Ｂに示す、脚部縦縫合線１を大腿後側に配置したものを従来例２とする。【０００６】
また、図１０Ａに示すように、脚部縦縫合線１を大腿外側に配置すると、脚をまっすぐに見せるシルエットにできると共に、切り替えなどのデザインも付け易い。以下、図１０Ａ、図１０Ｂに示す、脚部縦縫合線１を大腿外側に配置したものを従来例３とする。【０００７】
また、脚部縦縫合線１を大腿外側に配置する場合に、図１１Ａ、図１１Ｂに示すように、脚を細く見せる視覚的な効果を狙って、脚部縦縫合線１が正面から見えるように、脚部縦縫合線１を大腿外側よりもやや前側に配置する場合もある。以下、図１１Ａ、図１１Ｂに示す、脚部縦縫合線１を大腿外側のやや前側に配置したものを従来例４とする。【０００８】
さらに、特許文献１には、脚部縦縫合線１を大腿外側に配置する場合の変形例として、図１２Ａ、図１２Ｂに示すように、脚部縦縫合線１を大腿外側で蛇行させ、蛇行する脚部縦縫合線１によって、運動動作の際に、関節の屈伸や捩じれを阻害しないように意図したものもある。以下、図１２Ａ、図１２Ｂに示す、脚部縦縫合線１を大腿外側で蛇行配置したものを従来例５とする。【０００９】
一方、タイツ等のスポーツ用ボトムを形成する場合、脚部縦縫合線以外に、体幹部を形成するために、体幹部縫合線２も必要になる。体幹部縫合線２の典型例としては、図８Ｂ、図９Ｂ、図１０Ｂ、図１１Ｂ、図１２Ｂに示すような腹部中央に配置するものが挙げられる。【００１０】
特許文献２、特許文献３では、図１３Ａ、図１３Ｂに示すように、体幹部縫合線２を、腹部中央に加えて鼠径溝に沿うように設けているが、鼠径溝に沿うように配置した体幹部縫合線２と、大腿外側に配置した脚部縦縫合線１とはそれぞれ別個に設けられている。以下、図１３Ａ、図１３Ｂに示すものを従来例６とする。
【先行技術文献】
【特許文献】
【００１１】
【特許文献１】特開２００７−７７５６１号公報  図２Ｂ
【特許文献２】意匠登録第１０９２７４５号公報
【特許文献３】意匠登録第１０９３０５８号公報
【発明の概要】
【発明が解決しようとする課題】
【００１２】
ところで、脚部縦縫合線１は、脚部を形成するために必要であるが、身生地より伸び難いので、その配置によって、股関節の可動性を損ない、すそのズレ上がりを生じさせる恐れがある。【００１３】
脚上げ時や開脚時、大腿内側には大きな皮膚伸びが発生する。このため、脚部縦縫合線１を大腿内側に配置した図８Ａ、図８Ｂに示す従来例１の場合、剛性が高くて伸びにくい脚部縦縫合線１により、タイツ等では、大腿内側の生地の伸びが抑制され、その結果、股関節の可動性が損なわれ、すそにズレ上がりが生じる。【００１４】
また、脚上げ時や開脚時、大腿後側にも、大腿内側と同様に大きな皮膚伸びが発生する。このため、脚部縦縫合線１を大腿後側に配置した図９Ａ、図９Ｂに示す従来例２の場合も、股関節の可動性が損なわれ、タイツ等のすそにズレ上がりが生じる。【００１５】
一方、脚上げ時や開脚時、大腿前側には大きな皮膚縮みが発生する。このため、脚部縦縫合線１を大腿外側に配置した図１０Ａ、図１０Ｂに示す従来例３や図１１Ａ、図１１Ｂに示す従来例４の場合、大腿前側の付け根から大腿外側の生地には、畳みシワが発生する。さらに、脚部縦縫合線１は皮膚との摩擦係数が高いため、脚を下ろした時にも脚部縦縫合線１と皮膚との摩擦により畳みシワが残り、股関節の可動性が損なわれ、すそにズレ上がりが生じる。【００１６】
また、図１２Ａ、図１２Ｂに示す従来例５の場合、大腿外側でウェスト位置から足口に向かう脚部縦縫合線１を、臀部部分の頂点と、膝関節を曲げた状態の凸部の頂点付近で凸になるように滑らかに蛇行させて距離を長くすることにより、運動動作の際に生じる脚部縦縫合線１による抵抗を軽減しようとしている。
脚上げ時や開脚時に、上げた脚の臀部部分には、脚の長さ方向に大きな皮膚伸びが発生するが、図１２Ａ、図１２Ｂに示す従来例５の場合、脚部縦縫合線１が、臀部の頂点と膝関節の上部が凸になるように大きく蛇行しているため、特に、脚上げ時に大臀筋部に発生する大きな皮膚伸びに対応できず、脚上げに支障をきたすという問題がある。【００１７】
そこで、この発明は、脚上げ時や開脚時に、大臀筋部に生じる皮膚伸びに対して支障が生じず、フィット性が良好で、すそのズレ上がりが生じ難い、タイツ等のスポーツ用ボトムを提供しようとするものである。
【課題を解決するための手段】
【００１８】
この発明は、上記の課題を解決するために、タイツ、スパッツ、パンツ等のスポーツ用ボトムにおいて、脚部を筒状に形成する脚部縦縫合線１を、大転子Ｅの後方位置から大腿部の腸脛靭帯Ｆの後方縁に沿って、大臀筋Ｈを避けた位置に配置したものである。ここで、本発明でいう「脚部縦縫合線１」とは、脚部を筒状に形成するためのものであり、「縫合」とは、生地を縫い合わせる一般的な縫合の他、超音波溶着、熱溶着、ホットメルト接着等により生地と生地を無縫製にて接合した概念を含む。また、本発明でいう「脚部縦縫合線１」とは、大転子の後方位置から大腿部の腸脛靭帯の後方縁に沿って配置されて脚部を筒状に形成するための部位を少なくとも含有していればよい。したがって、「脚部縦縫合線１」は、１本の線だけではなく、脚上げ時や開脚時に脚の長さ方向に発生する臀部の大きな皮膚伸びを阻害しない範囲で、枝分かれ等して腸脛靭帯の後方縁に沿っていない部位を含有しているような線を含むものでもよい。さらに、本発明でいう「脚部縦縫合線１」は、大転子の後方位置から大腿部の腸脛靭帯の後方縁に沿って配置されて脚部を筒状に形成するための部位を少なくとも含有している前記線を含んでいれば、複数本配置してもよい。【００１９】
この発明における脚部縦縫合線１は、大転子Ｅの後方位置から大腿部の腸脛靭帯Ｆの後方縁に沿って大臀筋Ｈを避けた位置にあれば、脚の長さ方向に発生する臀部の大きな皮膚伸びを阻害しないので、フィット性が良好で、すそのズレ上がりが生じ難いスポーツ用ボトムが得られる。【００２０】
また、胴体下部に設けられる体幹部縫合線２は、鼠径靭帯部に沿って配置することが好ましく、鼠径靭帯部に沿って配置した体幹部縫合線２と、大転子Ｅの後方位置から大腿部の腸脛靭帯Ｆの後方縁に沿う脚部縦縫合線１とを一連に連続するように設けることが好ましい。腸脛靱帯Ｆの後方縁に沿う脚部縦縫合線１と、鼠径靭帯部に沿う体幹部縫合線２とを、大転子Ｅの後方位置で一連に連続するように設けると、縫合線が中臀筋（筋腹）Ｇを通らないので、その働きを妨げない。したがって、脚部の大きな動きに追随して、ボトムの体幹部の位置がより安定し、ボトムと脚部の挙動とを一致させることができる。【００２１】
なお、腸脛靱帯Ｆは、大転子Ｅを通り上下に伸びている。
【発明の効果】
【００２２】
この発明のスポーツ用ボトムは、上記のように、脚上げ時や開脚時においても、筋活動が阻害されず、フィット性が良好で、すそのズレ上がりが生じ難い。
【図面の簡単な説明】
【００２３】
【図１Ａ】この発明の実施形態１のハーフタイツの側面図である。
【図１Ｂ】この発明の実施形態１のハーフタイツの正面図である。
【図２Ａ】この発明の実施形態２のハーフタイツの側面図である。
【図２Ｂ】この発明の実施形態２のハーフタイツの正面図である。
【図３Ａ】この発明の実施形態３のハーフタイツの側面図である。
【図３Ｂ】この発明の実施形態３のハーフタイツの正面図である。
【図４】この発明の実施形態４のハーフタイツの側面図である。
【図５】この発明の実施形態５のハーフタイツの側面図である。
【図６】この発明の実施形態６のハーフタイツの側面図である。
【図７】この発明の実施形態７のセミロングタイツの側面図である。
【図８Ａ】従来例１のハーフタイツを斜め前方から見た斜視図である。
【図８Ｂ】従来例１のハーフタイツの正面図である。
【図９Ａ】従来例２のハーフタイツの背面図である。
【図９Ｂ】従来例２のハーフタイツの正面図である。
【図１０Ａ】従来例３のハーフタイツの側面図である。
【図１０Ｂ】従来例３のハーフタイツの正面図である。
【図１１Ａ】従来例４のハーフタイツの側面図である。
【図１１Ｂ】従来例４のハーフタイツの正面図である。
【図１２Ａ】従来例５のハーフタイツの側面図である。
【図１２Ｂ】従来例５のハーフタイツの正面図である。
【図１３Ａ】従来例６のハーフタイツの側面図である。
【図１３Ｂ】従来例６のハーフタイツの正面図である。
【発明を実施するための形態】
【００２４】
以下、この発明に係るスポーツ用ボトムの実施形態を、膝上までの丈のハーフタイツ及び膝下までの丈のセミロングタイツを例にして説明する。なお、以下の実施形態において、同一の構成部分または同様の構成部分には、同一の符号を付し、説明を適宜省略する。
【００２５】
図１に示す実施形態１のタイツは、脚部を筒状に形成する脚部縦縫合線１を、大転子Ｅの後方位置から大腿部の腸脛靭帯Ｆの後方縁に沿って、大臀筋Ｈを避けた位置に配置している。この実施形態１では、脚部縦縫合線１を上方の腰の位置まで伸びるように配置している。また、この実施形態１では、胴体下部に設けられる体幹部縫合線２を、腹部中央に配置し、体幹部縫合線２と脚部縦縫合線１とを分離して配置している。ここで、腸脛靱帯の後方縁に沿って配置される脚部縦縫合線１は、臀溝付近で後側に凸となる概ね弓状（曲線）であることが好ましい。この発明において、「概ね弓状」とは、図１〜図３に示すような形状の他に、図４と図７に示すような下方寄りの部分が腸脛靭帯Ｆの後方縁より前方側に入り込んで湾曲する形状や、図５に示すような下方寄りの部分が腸脛靱帯Ｆの後方縁より前方側に向かって突出する形状等、脚の長さ方向に発生する臀部の大きな皮膚伸びを阻害しない範囲で、その形状を適宜設定することができる。また、脚部縦縫合線１は、直線や曲線や波線等、脚の長さ方向に発生する臀部の大きな皮膚伸びを阻害しない範囲で、その形状を適宜設定することができる。
【００２６】
図２に示す実施形態２のタイツは、図１に示す実施形態１と同様に、脚部を筒状に形成する脚部縦縫合線１を、大転子Ｅの後方位置から大腿部の腸脛靭帯Ｆの後方縁に沿って、大臀筋Ｈを避けた位置に配置している。また、この実施形態２でも、脚部縦縫合線１を上方の腰の位置まで伸びるように配置している。また、この実施形態２では、胴体下部に設けられる体幹部縫合線２を鼠径靭帯部に沿って配置し、体幹部縫合線２と脚部縦縫合線１とを分離して配置している。
【００２７】
図３に示す実施形態３のタイツは、脚部を筒状に形成する脚部縦縫合線１を、大転子Ｅの後方位置から大腿部の腸脛靭帯Ｆの後方縁に沿って、大臀筋Ｈを避けた位置に配置している。そして、この実施形態３では、胴体下部に設けられる体幹部縫合線２を鼠径靭帯部に沿って配置し、腸脛靱帯Ｆの後方縁に沿う脚部縦縫合線１と、鼠径靭帯部に沿う体幹部縫合線２とを、大転子Ｅの後方位置で一連に連続するように設けている。
【００２８】
この発明においては、少なくとも脚部を筒状に形成する脚部縦縫合線１が、大転子Ｅの後方位置から大腿部の腸脛靭帯Ｆの後方縁に沿って、大臀筋Ｈを避けた位置に配置されていれば、前記のように、脚の長さ方向に発生する臀部の大きな皮膚伸びを阻害せず、脚部縦縫合線１によるフィット性の悪化や、すそのズレ上がりを防止できる。ここで、「後方縁に沿って」とは、上記後方縁上に存在するものの他に、脚上げ時や開脚時に脚の長さ方向に発生する臀部の大きな皮膚伸びを阻害しない範囲で上記後方縁に概ね沿っているものも含まれ、脚部縦縫合線１の位置を適宜設定することができる。すなわち、脚部縦縫合線１は、脚上げ時や開脚時に脚の長さ方向に発生する臀部の大きな皮膚伸びを阻害しない範囲で上記後方縁から離れていてもよい。例えば、臀部の大きな皮膚伸びを阻害しない範囲で、上記後方縁から前方側にずれていてもよいし、上記後方縁から離れる方向にずれていてもよいし、上記後方縁を跨ぐようになっていてもよいし、上記後方縁を跨ぐような波線状やジグザグ形状になっていてもよい。
また、「体幹部縫合線２を鼠径靭帯部に沿って」とは、体幹部縫合線２が鼠径靭帯部上に存在するものの他に、中臀筋Ｇの働きを阻害しない範囲で鼠径靭帯部に概ね沿っているものも含まれ、体幹部縫合線２の位置を適宜設定することができる。
【００２９】
したがって、図４〜図７に示す実施形態４〜７のように、脚部縦縫合線１の下方寄りの部分は、腸脛靱帯Ｆから離れてもよいし、腸脛靭帯Ｆの後方縁より前方側に入り込んでもよいし、腸脛靭帯Ｆを横切ってもよい。
【００３０】
図４は脚部縦縫合線１の下方寄りの部分が、腸脛靱帯Ｆに向かってなだらかに湾曲している実施形態、図５は脚部縦縫合線１の下方寄りの部分が、腸脛靱帯Ｆの後方縁より前方側に向かって突出する実施形態、図６は脚部縦縫合線１の下方寄りの部分が、腸脛靱帯Ｆから離れる方向に湾曲する実施形態である。また、図７の実施形態は、すそ丈が膝下まで伸びたセミロングタイプであり、脚部縦縫合線１の下方寄りの部分が膝側に湾曲して腸脛靱帯Ｆを横切っている。
【００３１】
図１〜図３に示すこの発明の実施形態であるハーフタイツと、図８に示す従来例１及び図１０に示す従来例３のハーフタイツを着用し、股関節屈曲動作を行った後のすそのズレ上がり量と、フィット感について実験を行った結果を表１に示す。
【００３２】
表１に示す通り、この発明の実施形態のハーフタイツは、フィット感が良好で、脚上げと開脚を行った後のすそのズレ上がり量も従来例のハーフタイツよりも１０ｍｍ以上少なかった。
【００３３】
【表１】
0005990637.tif 000002
【符号の説明】
【００３４】
１  脚部縦縫合線
２  体幹部縫合線
【図１Ａ】
0005990637.tif 000003
【図１Ｂ】
0005990637.tif 000004
【図２Ａ】
0005990637.tif 000005
【図２Ｂ】
0005990637.tif 000006
【図３Ａ】
0005990637.tif 000007
【図３Ｂ】
0005990637.tif 000008
【図４】
0005990637.tif 000009
【図５】
0005990637.tif 000010
【図６】
0005990637.tif 000011
【図７】
0005990637.tif 000012
【図８Ａ】
0005990637.tif 000013
【図８Ｂ】
0005990637.tif 000014
【図９Ａ】
0005990637.tif 000015
【図９Ｂ】
0005990637.tif 000016
【図１０Ａ】
0005990637.tif 000017
【図１０Ｂ】
0005990637.tif 000018
【図１１Ａ】
0005990637.tif 000019
【図１１Ｂ】
0005990637.tif 000020
【図１２Ａ】
0005990637.tif 000021
【図１２Ｂ】
0005990637.tif 000022
【図１３Ａ】
0005990637.tif 000023
【図１３Ｂ】
0005990637.tif 000024